(57)【要約】【課題】園芸鉢自体は単純な形状に形成させることができ、後発的に表示ラベル板の取り付けが可能となる園芸鉢を提供する。【解決手段】底部１ｂから上面の開口１ｃに至る胴部１ａを有し、内部に培土とともに植物を入れることのできる園芸鉢１において、胴部１ａの上端側には、胴部１ａとの間に、植物に関する情報を表示した表示ラベル板２の脚部２ｂを差し込むことのできる差し込み空間を形成して保持シート３が固設されている。【選択図】図１
0003170144.tif 000002
【実用新案登録請求の範囲】
【請求項１】
底部から上面の開口に至る胴部を有し、内部に培土とともに植物を入れることのできる園芸鉢において、
前記胴部の上端側には、該胴部との間に、植物に関する情報を表示した表示ラベル板の脚部を差し込むことのできる差し込み空間を形成して保持シートが固設されていることを特徴とする園芸鉢。
【請求項２】
前記保持シートは、前記胴部の外側または内側に、熱シール或いは貼着により固設されていることを特徴とする請求項１に記載の園芸鉢。
【請求項３】
前記保持シートには、前記差し込み空間内に突出する抜け止め突起が形成されていることを特徴とする請求項１または請求項２に記載の園芸鉢。
【考案の詳細な説明】
【技術分野】
【０００１】
本考案は、園芸鉢に関するものである。
【背景技術】
【０００２】
従来、特許文献１に開示されているような園芸ポットが存在し、この園芸ポットでは、下側胴部と上側胴部との間に段部を形成し、この段部に、植物に関する情報を表示した表示具を保持する保持孔を設け、この保持孔内に表示具を差し込むことができるように構成されている。
【先行技術文献】
【特許文献】
【０００３】
【特許文献１】特開２００６−１８０７６６号公報
【考案の概要】
【考案が解決しようとする課題】
【０００４】
上記特許文献１に開示されているような園芸ポットでは、表示具を差し込むための保持孔を、径の異なる下側胴部と上側胴部間の段部に形成させる必要があり、園芸ポットそのものの形状が複雑であるとともに、表示具を差し込む位置が分かりにくいという問題点があった。
【課題を解決するための手段】
【０００５】
本考案は、単純な形に園芸鉢を形成させることができ、また、表示ラベル板の差し込み位置が分かりやすい園芸鉢の提供を目的とし、この目的の少なくとも一部を達成するために以下の手段を採った。
本考案は、底部から上面の開口に至る胴部を有し、内部に培土とともに植物を入れることのできる園芸鉢において、前記胴部の上端側には、該胴部との間に、植物に関する情報を表示した表示ラベル板の脚部を差し込むことのできる差し込み空間を形成して保持シートが固設されていることを要旨とする。
【考案の効果】
【０００６】
本考案の園芸鉢では、園芸鉢自体はシンプルな形状に容易に形成させることができ、この園芸鉢の胴部の上端側に別体の保持シートを固設して、この保持シートと胴部間に形成されている差し込み空間内に、植物に関する情報を表示した表示ラベル板の脚部を良好に差し込むことができるものであり、保持シートは胴部の上端側に固設されているため、表示ラベル板の差し込み位置を容易に視認して、確実に表示ラベル板を差し込むことができるものとなる。
【０００７】
また、本考案の園芸鉢において、前記保持シートは、前記胴部の外側または内側に、熱シール或いは貼着により固設されているものとすることもできる。
こうすれば、熱シール或いは貼着により後発的に園芸鉢の胴部上端側に保持シートを固設することができ、表示ラベル板を後発的に取り付けることができるものとなる。
【０００８】
また、本考案の園芸鉢において、前記保持シートには、前記差し込み空間内に突出する抜け止め突起が形成されているものとすることもできる。
こうすれば、胴部と保持シート間に形成された差し込み空間内に表示ラベル板の脚部を差し込むと、差し込み空間内に突出している抜け止め突起により表示ラベル板の脚部が固定されて、上方への抜脱を防げるものとなり、輸送中の振動で表示ラベル板が抜け落ちることもなく、また、悪戯で表示ラベル板が引き抜かれることを良好に防げるものとなる。
【図面の簡単な説明】
【０００９】
【図１】表示ラベル板を取り付けた園芸鉢の斜視構成図である。
【図２】保持シートと、保持シートに対し上方から差し込まれる表示ラベル板の分解図である。
【考案を実施するための形態】
【００１０】
次に、本考案を実施するための形態を実施例を用いて説明する。
図１は、園芸鉢の斜視構成図である。
園芸鉢１は、ポリエチレンやポリプロピレン等の軟質合成樹脂で構成されており、上端に上面開口１ｃを有する有底状に形成され、底部１ｂから上端の上面開口１ｃに至り、上端側にゆくほど内径を増大させた胴部１ａを備えており、この園芸鉢１内には培土とともに植物の苗を入れて育苗に用いることができるものである。
【００１１】
この園芸鉢１内で育苗された植物は、園芸鉢１に入れたままトラック等で搬送され、店頭で展示販売されるものであり、展示販売の際に、植物の名称や写真や育て方等の植物に関する情報を表示した表示ラベル板２が取り付けられるものである。
この表示ラベル板２を取り付けるために、胴部１ａの上端側の胴部１ａの外側或いは内側に保持シート３が固設されている。
【００１２】
この保持シート３は、例えばポリエチレンやポリプロピレン製の正方形状等の別体のシートで構成しておき、図２に示すように、この保持シート３の左右側の糊代面３ａ，３ａを、熱を加えて胴部１ａに熱シールで固設することができ、熱シールして保持シート３を胴部１ａの上端側に固設した状態では、保持シート３の左右側の糊代面３ａ，３ａ間に上下に貫通する差し込み空間が形成される。
即ち、差し込み空間Ｓは、胴部１ａと保持シート３との間に上下方向に貫通状に形成されるものであり、この差し込み空間Ｓ内に、図２のように上方側から表示ラベル板２の下端部２ｃおよび脚部２ｂを差し込むことができるものである。
【００１３】
なお、保持シート３には、差し込み空間Ｓの内側に左右側から対向状に突出する左右の抜け止め突起３ｂ，３ｂを一体状に形成させておくことができ、この抜け止め突起３ｂは、例えばノコ歯状等の突起としておくことができる。その他、抜け止め突起３ｂは、差し込み空間Ｓ内に突出する形状であれば、円形状の複数の突起であっても、また三角形状の複数の突起であっても良い。
【００１４】
一方、差し込み空間Ｓ内に差し込まれる表示ラベル板２の脚部２ｂの左右端縁には、切り欠き状に１個または上下に間隔をおいて複数の係合突起２ｄ，２ｄ，２ｄを形成させておくことができ、脚部２ｂを差し込み空間Ｓ内に差し込んだ時に、保持シート３側の抜け止め突起３ｂ，３ｂに脚部２ｂの何れかまたは全部の係合突起２ｄ，２ｄ，２ｄが係合して、これにより表示ラベル板２の脚部２ｂが抜け止めされた状態となり、表示ラベル板２を上方へ引き抜こうとしても引き抜くことができないものとなり、悪戯で表示ラベル板２が引き抜かれるようなことを防ぐことができる。また、輸送中にトラックなどの振動で表示ラベル板２が抜け落ちることもなくなるものである。
【００１５】
なお、表示ラベル板２は、紙製のものであっても、また樹脂製のものであっても良く、植物に関する情報を写真等で表示した表示部２ａの下端から連続して脚部２ｂが一体形成され、脚部２ｂの下端には、下方に向かって錐形状に下端部２ｃが連続しており、この下端部２ｃがガイドとなり、下端部２ｃから良好に差し込み空間Ｓ内に差し込んで、差し込み空間Ｓ内に脚部２ｂを係止させることができるものである。
【００１６】
なお、表示ラベル板２を差し込む際には、表示ラベル板２を胴部１ａに沿わせて下向きに押し込むことで、良好に差し込み空間Ｓ内に差し込むことができるものである。
保持シート３が園芸鉢の胴部１ａの上端外側に固設されている場合には、外側から容易に保持シート３を視認することができ、この位置に確実に表示ラベル板２を差し込んで取り付けできるものとなる。
【００１７】
また、園芸鉢１の胴部１ａの上端内側に保持シート３が固設されている場合にも、胴部１ａに沿って良好に表示ラベル板２を差し込み空間Ｓ内に差し込むことができ、胴部１ａの上端側には培土が存在しないために保持シート３を上側から視認することができ、その位置を視認して表示ラベル板２を確実に取り付けできるものである。
【００１８】
なお、本例では、園芸鉢１は円形のものを例示しているが、この園芸鉢１は四角形等のどのような形状のものであっても良い。また、この園芸鉢１の材質はポリエチレンやポリプロピレン製のものに限定するものではない。
さらに、保持シート３は樹脂製のものに限らず紙製であっても良く、紙製の保持シート３の場合は、左右の糊代面３ａ，３ａに接着剤を塗布して、接着剤を介して胴部１ａの上端側に貼着して固設しておくことができるものである。
【００１９】
本例では、園芸鉢１は単純な形状に安価に形成させておくことができ、後発的に保持シート３を熱シール或いは貼着等の手段で胴部１ａに固設して、表示ラベル板２を取り付けできるように構成することができるものであり、大きさの異なる複数の保持シート３を用意しておけば、大きさの異なる別種類の表示ラベル板２を取り付ける場合にも、対応した大きさの保持シート３を選択して、後発的に園芸鉢１に保持シート３を固設して用いることができるものとなる。
【符号の説明】
【００２０】
１  園芸鉢
１ａ  胴部
１ｂ  底部
１ｃ  上面開口
２  表示ラベル板
２ａ  表示部
２ｂ  脚部
２ｃ  下端部
２ｄ  係合突起
３  保持シート
３ａ  糊代面
３ｂ  抜け止め突起
Ｓ  差し込み空間
【図１】
0003170144.tif 000003
【図２】
0003170144.tif 000004